(57)【特許請求の範囲】
【請求項１】
プライマリサイトと前記プライマリサイトと相互動作する候補セカンダリサイトとの間のデータ伝送遅延を測定するように構成される少なくとも１つのプロセッサと、
前記少なくとも１つのプロセッサによって得られた前記データ伝送遅延を記憶するように構成される記憶装置と、
を備え、
前記少なくとも１つのプロセッサが、前記データ伝送遅延に従って、予め設定されるセル協調様式の遅延要件を満たす１つ以上のセルから協調セルを選択するように構成され、
前記少なくとも１つのプロセッサが、前記プライマリサイトによって送信される測定メッセージが前記候補セカンダリサイトに伝送されて次いで前記候補セカンダリサイトから前記プライマリサイトに返送されるときに必要とされる往復の前記データ伝送遅延を測定するように構成され、
前記測定メッセージが実際の伝送データの長さに従って設計される測定シーケンスを備え、且つ
前記測定メッセージが、前記測定シーケンスを備えるシーケンスソースを記憶するように構成され、
前記少なくとも１つのプロセッサが前記シーケンスソースを更新するように構成され、前記更新されたシーケンスソースが更新された測定シーケンスを備える、セル管理装置。
【請求項２】
前記遅延要件が、前記データ伝送遅延が予め設定される時間遅延未満であることを備える、請求項１に記載のセル管理装置。
【請求項３】
前記少なくとも１つのプロセッサが、前記候補セカンダリサイトに前記測定メッセージを送信し、計時サブユニットに第１の命令メッセージを送信して前記計時サブユニットに計時を開始するように命令するように構成され、且つ前記候補セカンダリサイトによって返送される前記測定メッセージを受信し、前記計時サブユニットに第２の命令メッセージを送信して前記計時サブユニットに計時を停止するように命令するように構成され、且つ
前記少なくとも１つのプロセッサが、前記第１の命令メッセージを受信した後に計時を開始して前記第２の命令メッセージを受信した後に計時を停止し、データ伝送遅延記憶ユニットに記録によって得られる前記データ伝送遅延を送信するように構成される、請求項１に記載のセル管理装置。
【請求項４】
前記少なくとも１つのプロセッサが、少なくとも２つの選択された協調セルがある場合、前記少なくとも２つの選択された協調セルのデータ伝送の相対遅延を測定するように構成され、且つ
前記少なくとも１つのプロセッサが、前記協調セルのデータ伝送の前記相対遅延を調節及び同調させるように構成される、請求項３に記載のセル管理装置。
【請求項５】
前記少なくとも１つのプロセッサが、最大相対遅延を得るように、協調セルによってサービングセルにデータを送信するための遅延を比較するように構成され、且つ
前記最大相対遅延に基づいて、別の協調セルによって送信されるデータのためのキャッシュ時間を計算するように構成され、前記別の協調セルが前記最大相対遅延に対応する協調セル以外のセルを指し、前記キャッシュ時間が前記最大相対遅延に対応する前記協調セルに対して前記別の協調セルによって送信されるデータのためのキャッシュ時間であり、且つ
データキャッシュサブユニットが、前記データの前記キャッシュ時間についての情報に従って、前記別の協調セルによって送信される前記データを一時的に記憶するように構成される、請求項４に記載のセル管理装置。
【請求項６】
前記予め設定されるセル協調様式が、アップリンク協調様式及び／又はダウンリンク協調様式を備える、請求項１から５のいずれか一項に記載のセル管理装置。
【請求項７】
プライマリサイトと前記プライマリサイトと相互動作する候補セカンダリサイトとの間のデータ伝送遅延を測定するステップと、
測定により得られた前記データ伝送遅延を記憶するステップと、
前記データ伝送遅延に従って、前記候補セカンダリサイトのものであり且つ予め設定されるセル協調様式の遅延要件を満たす１つ以上のセルを決定するステップと、
前記予め設定されるセル協調様式の前記遅延要件を満たす前記１つ以上のセルから協調セルを選択するステップと、
を備えるセル管理方法であって、
前記データ伝送遅延が、前記プライマリサイトによって送信される測定メッセージが前記候補セカンダリサイトに伝送されて次いで前記候補セカンダリサイトから前記プライマリサイトに返送されるときに必要とされる往復の前記データ伝送遅延であり、
前記測定メッセージが実際の伝送データの長さに従って設計される測定シーケンスを備え、且つ
前記測定シーケンスを備えるシーケンスソースが記憶され、
前記シーケンスソースを更新し、更新されたシーケンスソースが更新された測定シーケンスを備えるステップをさらに備える、セル管理方法。
【請求項８】
前記遅延要件が、前記データ伝送遅延が予め設定される時間遅延未満であることを備える、請求項７に記載のセル管理方法。
【請求項９】
プライマリサイトと候補セカンダリサイトとの間のデータ伝送遅延を測定する前記ステップが、
前記候補セカンダリサイトに前記測定メッセージを送信して前記候補セカンダリサイトによって返送される前記測定メッセージを受信し、前記測定メッセージが送信された後に計時を開始して前記候補セカンダリサイトによって返送される前記測定メッセージが受信された後に計時を停止し、前記得られたデータ伝送遅延を記録するステップを備える、請求項７に記載の方法。
【請求項１０】
前記予め設定されるセル協調様式の前記遅延要件を満たす前記１つ以上のセルから協調セルを選択する前記ステップの後に、前記方法が、
少なくとも２つの選択された協調セルがある場合、前記少なくとも２つの選択された協調セルのデータ伝送の相対遅延を測定するステップと、
前記相対遅延を調節及び同調させるステップとを更に備える、請求項７から９のいずれか一項に記載の方法。
【請求項１１】
前記相対遅延を調節及び同調させる前記ステップが、
最大相対遅延を得るように、協調セルによってサービングセルにデータを送信するための遅延を比較するステップと、
前記最大相対遅延に基づいて、別の協調セルによって送信されるデータのためのキャッシュ時間を計算し、前記別の協調セルが前記最大相対遅延に対応する協調セル以外のセルを指し、前記キャッシュ時間が前記最大相対遅延に対応する前記協調セルに対して前記別の協調セルによって送信されるデータのためのキャッシュ時間であるステップと、
前記データの前記キャッシュ時間についての情報に従って、前記別の協調セルによって送信される前記データを一時的に記憶するステップと、
を備える、請求項１０に記載の方法。
【請求項１２】
前記予め設定されるセル協調様式が、アップリンク協調様式及び／又はダウンリンク協調様式を備える、請求項７から１１のいずれか一項に記載の方法。
【発明の詳細な説明】
【技術分野】
【０００１】
本発明の実施形態は、通信技術の分野に関し、詳細には、セル管理装置及びセル管理方法に関する。
【背景技術】
【０００２】
移動通信システムの発展における重要な伝送技術として、多地点協調（ＣｏＭＰ）、即ち異なる地理的位置の複数のノードを使用して協調処理を行い、現存のセルラシステムにおける単セル単サイト伝送の、そのシステムの周波数資源に関する制限の問題を解決する。信号は、遠隔無線周波数ユニットとの複数のサイトの協調、サイトが帰属する中継局とのそのサイトの協調、又は複数のサイト間の協調などの複数の協調様式で送受信されてよい。次いで、アップリンク及びダウンリンクをユーザ機器（ＵＥ）と複数のサイトの無線周波数ユニットとの間に確立して通信を行ってよく、それによって信号到達範囲を有効に拡大し、スペクトル資源の有効利用を図り、システムの平均処理能力を向上させ、協調システムの総合性能を最適化し、且つ特にセル端ユーザのためのデータ伝送速度を向上させる。
【０００３】
ユーザ機器のサービングセル及び協調セルがＣｏＭＰ技術において定義され、そこでサービングセル及び協調セルは協調データ伝送に共同で参加する。先行技術において、協調セルは一般にサイト展開状況及びネットワーク最適化の目的に従って当業者によって手動で選択され、選択された協調セルが実際に協調データ伝送を行うと、協調通信の効果は満足できるものではない。
【発明の概要】
【０００４】
本発明の実施形態はセル管理装置及び方法を提供し、それはセルの協調通信性能を向上させることができる。
【０００５】
第１の態様によれば、セル管理装置が本発明の実施形態において提供され、ここでセル管理装置は、
プライマリサイトとプライマリサイトと相互動作する候補セカンダリサイトとの間のデータ伝送遅延を測定するように構成される遅延測定ユニットと、
遅延測定ユニットによって測定により得られたデータ伝送遅延を記憶するように構成される遅延記憶ユニットと、
データ伝送遅延に従って、候補セカンダリサイトのものであり且つ予め設定されるセル協調様式の遅延要件を満たす１つ以上のセルを決定し、予め設定されるセル協調様式の遅延要件を満たす１つ以上のセルから協調セルを選択するように構成される遅延管理ユニットとを含む。
【０００６】
第１の態様の第１の可能な実装方式において、遅延測定ユニットがプライマリサイトとプライマリサイトと相互動作する候補セカンダリサイトとの間のデータ伝送遅延を測定するように構成されることは、プライマリサイトによって送信される測定メッセージが候補セカンダリサイトに伝送されて次いで候補セカンダリサイトからプライマリサイトに返送されるときに必要とされる往復遅延を測定するように構成されることを含む。
【０００７】
第１の態様又は第１の態様の第１の可能な実装方式に関して、第１の態様の第２の可能な実装方式において、測定メッセージ送受信機サブユニットが、候補セカンダリサイトに測定メッセージを送信し、計時サブユニットに第１の命令メッセージを送信して計時サブユニットに計時を開始するように命令するように構成され、且つ候補セカンダリサイトによって返送される測定メッセージを受信し、計時サブユニットに第２の命令メッセージを送信して計時サブユニットに計時を停止するように命令するように構成される。
【０００８】
計時サブユニットは、第１の命令メッセージを受信した後に計時を開始して第２の命令メッセージを受信した後に計時を停止し、データ伝送遅延記憶ユニットに記録によって得られるデータ伝送遅延を送信するように構成される。
【０００９】
第１の態様の第２の可能な実装方式に関して、第１の態様の第３の可能な実装方式において、計時サブユニットは、少なくとも２つの選択された協調セルがある場合、少なくとも２つの選択された協調セルのデータ伝送の相対遅延を測定するように更に構成され、且つ
セル管理装置は遅延調節ユニットを更に含み、それは協調セルのデータ伝送の相対遅延を調節及び同調させるように構成される。
【００１０】
第１の態様の第３の可能な実装方式に関して、第１の態様の第４の可能な実装方式において、遅延調節ユニットは、
最大相対遅延を得るように、協調セルによってサービングセルにデータを送信するための遅延を比較するように構成される比較サブユニットと、
最大相対遅延に基づいて、別の協調セルによって送信されるデータのためのキャッシュ時間を計算するように構成され、ここで別の協調セルは最大相対遅延に対応する協調セル以外のセルを指し、キャッシュ時間は最大相対遅延に対応する協調セルに対して別の協調セルによって送信されるデータのためのキャッシュ時間であるキャッシュ時間計算サブユニットと、
データのキャッシュ時間についての情報に従って、別の協調セルによって送信されるデータを一時的に記憶するように構成されるデータキャッシュサブユニットとを更に含む。
【００１１】
第２の態様によれば、セル管理方法が本発明の実施形態において提供され、
プライマリサイトとプライマリサイトと相互動作する候補セカンダリサイトとの間のデータ伝送遅延を測定するステップと、
測定により得られたデータ伝送遅延を記憶するステップと、
データ伝送遅延に従って、候補セカンダリサイトのものであり且つ予め設定されるセル協調様式の遅延要件を満たす１つ以上のセルを決定するステップと、
予め設定されるセル協調様式の遅延要件を満たす１つ以上のセルから協調セルを選択するステップとを含む。
【００１２】
第２の態様の第１の可能な実装方式において、データ伝送遅延は、プライマリサイトによって送信される測定メッセージが候補セカンダリサイトに伝送されて次いで候補セカンダリサイトからプライマリサイトに返送されるときに必要とされる往復遅延である。
【００１３】
第２の態様の第１の可能な実装方式に関して、第２の態様の第２の可能な実装方式において、プライマリサイトと候補セカンダリサイトとの間のデータ伝送遅延を測定するステップは、
候補セカンダリサイトに測定メッセージを送信して候補セカンダリサイトによって返送される測定メッセージを受信し、測定メッセージが送信された後に計時を開始して候補セカンダリサイトによって返送される測定メッセージが受信された後に計時を停止し、得られるデータ伝送遅延を記録するステップを含む。
【００１４】
第２の態様の第２の可能な実装方式に関して、第２の態様の第３の可能な実装方式において、予め設定されるセル協調様式の遅延要件を満たす１つ以上のセルから協調セルを選択するステップの後に、方法は、
少なくとも２つの選択された協調セルがある場合、少なくとも２つの選択された協調セルのデータ伝送の相対遅延を測定するステップと、
相対遅延を調節及び同調させるステップとを更に含む。
【００１５】
第２の態様の第３の可能な実装方式に関して、第２の態様の第４の可能な実装方式において、相対遅延を調節及び同調させるステップは、
最大相対遅延を得るように、協調セルによってサービングセルにデータを送信するための遅延を比較するステップと、
最大相対遅延に基づいて、別の協調セルによって送信されるデータのためのキャッシュ時間を計算し、ここで別の協調セルは最大相対遅延に対応する協調セル以外のセルを指し、キャッシュ時間は最大相対遅延に対応する協調セルに対して別の協調セルによって送信されるデータのためのキャッシュ時間であるステップと、
データのキャッシュ時間についての情報に従って、別の協調セルによって送信されるデータを一時的に記憶するステップとを含む。
【００１６】
本発明の実施形態において提供されるセル管理装置及びセル管理方法を使用することによって、協調セルとサービングセルとの間のデータ伝送遅延が測定されて予め設定される協調様式のデータ伝送遅延の要件と比較され、遅延要件を満たす協調セルが識別され、次いで遅延要件を満たす協調セルは優先的にセルの協調通信に参加する。したがって、協調データ伝送機能の正常な実装を確保することができ、多地点協調通信の効果を向上させることができる。セル管理装置は複数のネットワークシナリオに適用可能とすることができ、柔軟に、容易に且つ便宜的に設定することができる。更に、本発明の実施形態において、実データを参照することによって確立される測定シーケンスを使用することによって、協調セルとサービングセルとの間のデータ伝送遅延は正確に測定することができ、したがって測定誤差は低減される。
【図面の簡単な説明】
【００１７】
本発明の実施形態における技術的解法をより明らかに記載するために、以下に実施形態を記載するために必要とされる添付図面を簡潔に紹介する。明らかに、以下の記載における添付図面は本発明のいくつかの実施形態を図示するにすぎず、当業者は創造的労力なしでこれらの添付図面から他の図面を更に導き出すことができる。
【００１８】
【図１】本発明の実施形態に係る適用シナリオの概要図である。
【図２】本発明の実施形態に係るセル管理装置の概要図である。
【図３】本発明の実施形態に係るセル管理装置を使用する様式を図示する。
【図４】本発明の実施形態に係るセル管理装置を使用する様式を図示する。
【図５】本発明の実施形態に係るセル管理装置を使用する様式を図示する。
【図６】本発明の実施形態に係るセル管理装置を使用する様式を図示する。
【図７】本発明の実施形態に係る別のセル管理装置の概要図である。
【図８】本発明の実施形態に係る更に別のセル管理装置の概要図である。
【図９】本発明の実施形態に係る更に他のセル管理装置の概要図である。
【図１０】本発明に係るセル管理方法のフローチャートである。
【発明を実施するための形態】
【００１９】
本発明の目的、技術的解法、及び利点をより明白にするために、以下に添付図面を参照して本発明の実施形態を詳細に更に記載する。
【００２０】
本明細書に記載される技術は様々な通信システム、例えば現在の３Ｇ通信システム並びに次世代通信システム、例えば符号分割多元接続（ＣＤＭＡ）システム、時分割多元接続（ＴＤＭＡ）システム、広帯域符号分割多元接続（ＷＣＤＭＡ）システム、ロングタームエボリューション（ＬＴＥ）システム、及び将来の進化したシステムに適用されてよい。
【００２１】
本発明の実施形態において、サイトは、サイトの少なくとも１つのセルを管理し、セルにおけるユーザ機器（ＵＥ）のための協調セルを選択し、別の隣接サイトと情報を交換するように構成されてよい。異なるワイヤレス通信システムにおいて、サイトは異なる構成部品を含むことができ、例えばＣＤＭＡシステムにおいて、サイトは基地局制御装置（ＢＳＣ）を含むことができ、ＷＣＤＭＡシステムにおいて、サイトは無線ネットワーク制御装置（ＲＮＣ）を含むことができ、ＬＴＥシステム及び将来の進化したシステムにおいて、サイトは進化ノードＢ（ｅ−Ｎｏｄｅ  Ｂ）とすることができる。
【００２２】
多地点協調伝送の様式は２種類：サイト間協調及びサイト内協調に分類されてよい。サイト内協調は協調セルが同じサイト内にあることを意味し、一方サイト間協調は協調セルが異なるサイトによって別々に制御されることを意味する。サイト間協調様式において、セルにおけるユーザ機器の大量の関連データ情報が異なるサイト間で共有されることが必要とされ、したがって協調セルのサイト間データ伝送遅延の要件は比較的高い。データ伝送遅延が許容範囲を越えている場合、多地点協調伝送の期待される効果を達成することができないという結果になる。本発明の実施形態は主にサイト間多地点協調伝送様式を対象とすることに留意されたい。
【００２３】
本発明の実施形態において提供されるセル管理装置は基地局とすることができ、又は基地局の構成部品とすることができ、例えば基地局におけるベースバンド処理ユニット、若しくはベースバンド処理ユニットから独立しているがしかし基地局内でベースバンド処理ユニットに接続される別の装置とすることができる。代わりに、セル管理装置は集中管理装置、例えば中央ノード、又は集中管理装置の構成部品でもよく、ここで集中管理装置は送受信機能を有する少なくとも１つの基地局に接続されてよい。
【００２４】
図１は、本発明の実施形態の適用シナリオである。適用シナリオにおいて、セルａはサービングセルであり、セル１、セル２、．．．、セルｎはセルａと協調してセルａにおけるデータ伝送を処理する協調セルであり、セルａが帰属するサイトのベースバンドユニット（ＢＢＵ）は協調機能の展開を完成させると仮定する。図１に図示する協調セルのデータは図１に図示する伝送路１、伝送路２、．．．、伝送路ｎなどの異なる伝送路を通してサービングセルのサイトのベースバンド処理ユニットに達し、各協調セルがベースバンド処理ユニットに達するための遅延は伝送路の差のために異なる。異なる種類の協調機能は協調セルからサービングセルまでのデータ伝送遅延の異なる要件を有する。遅延要件を満たさない協調セルを使用して協調機能を実装する場合、協調機能の利点が減少する。
【００２５】
図１は協調機能の展開の概要図にすぎないことに留意されたい。協調セル及びサービングセルの分布、位置、及び量、並びに図１に図示するデータ伝送路の方向及び距離は例証的であるにすぎず、本発明の本実施形態において限定されない実状におけるネットワークのネットワーク要件に従って決定されてよい。
【００２６】
本発明の実施形態は、図２に図示するように、セル管理装置を提供する。
【００２７】
セル管理装置は遅延測定ユニット１０１を含むことができ、それはプライマリサイトとプライマリサイトと相互動作する候補セカンダリサイトとの間のデータ伝送遅延を測定するように構成される。
【００２８】
プライマリサイトはサービングセルが位置するサイトを指し、候補セカンダリサイトは候補協調セルが位置するサイトを指す。候補セカンダリサイト及びプライマリサイトは相互動作サイトであり、相互動作サイトは隣接関係を有し且つデータ相互作用を行ってよいサイトを指す。プライマリサイト及び候補セカンダリサイトは相互に相互動作サイトとすることができる。相互動作サイト間の相互動作関係は、ネットワークが計画されるときに設計されるネットワークトポロジ図に従って決定されてよく、又は最初の展開後に実際の要件に従って調節されてよい。相互動作サイトについての情報はネットワーク管理装置又は各サイトに記憶されてよい。各相互動作サイトは別の相互動作サイトについての情報を取得してよく、情報を取得する様式は限定されない。サイトはネットワーク管理装置に要求メッセージを送信してよく、ネットワーク管理装置はサイトに情報を配信する、又は例えば要求は相互動作関係を有する相互動作サイトに直接送信されて相互動作サイトについての情報を得てよく、若しくは相互動作サイトについての情報は相互動作関係を有するサイトに直接送信される。各相互動作サイトは少なくとも１つのセルを管理し、異なる相互動作サイトのセルはサイト間協調通信を行ってよい。
【００２９】
任意選択で、遅延測定ユニット１０１はプライマリサイトが候補セカンダリサイトとデータ相互作用を行うときに必要とされる往復遅延を測定してよく、つまりデータが候補セカンダリサイトとプライマリサイトとの間のデータ伝送路を通してプライマリサイトから候補セカンダリサイトまで送信され、次いでデータ伝送路を通してプライマリサイトに返送されるために必要とされる合計時間を測定する。
【００３０】
遅延記憶ユニット１０２は、遅延測定ユニット１０１によって測定により得られるデータ伝送遅延を記憶するように構成される。
【００３１】
任意選択で、遅延記憶ユニット１０２は、各サイトと別の相互動作サイトとの間にあり且つ遅延測定ユニット１０１によって測定されるデータ伝送遅延を記憶する。例えば、データ伝送遅延は表の形態で記憶して抽出及び管理を容易にすることができる。
【００３２】
本発明の本実施形態において、同じサイトの複数のセルが集中様式で分布される場合、同じサイトの各セルからセルが帰属するサイトまでのデータ伝送遅延は無視されてよい、つまりセル間の遅延差は考慮されないことに留意されたい。したがって、遅延記憶ユニット１０２に記憶される相互動作サイト間のデータ伝送遅延は各相互動作サイトのセル間のデータ伝送遅延である。相互動作サイト間のデータ伝送遅延の及び各相互動作サイトのセル間のデータ伝送遅延の、本発明の実施形態において提示される記述は一貫した意味を有し、以下の記載において繰り返し説明されないものとする。
【００３３】
別の実施形態において、同じサイトの複数のセルが分散様式で分布される場合、サイト間のデータ伝送遅延が測定された後に、同じサイトの各セルからセルが帰属するサイトまでのデータ伝送遅延が更に測定されてよい。遅延記憶ユニット１０２によって記憶されるデータ伝送遅延は２種類の遅延の合計であり、協調機能の実装性能は向上されてよい。同じサイトのセルが集中様式で分布される事例が本発明の本実施形態において記載される。同じサイトのセルが分散様式で分布される事例について、本発明の本実施形態における記述に参照がなされてよい。
【００３４】
遅延管理ユニット１０３は、データ伝送遅延に従って、予め設定されるセル協調様式の遅延要件を満たす候補セカンダリサイトの１つ以上のセルを決定し、予め設定されるセル協調様式の遅延要件を満たす１つ以上のセルから協調セルを選択するように構成される。協調セルは、予め設定されるセル協調様式に従って多地点協調データ伝送を行うように構成される。
【００３５】
協調セル及びサービングセルは相対的に存在するので、異なるセルをデータ伝送遅延に従って部類ごとに管理すること、及び異なる協調様式の要件に従って対応する候補協調セル集合を構成することを容易にするように、任意の２つの相互動作サイト間のデータ伝送遅延が測定される必要がある。
【００３６】
セル協調様式は予め設定されてよく、例えばプライマリサイトがアップリンク協調様式若しくはダウンリンク協調様式を事前に展開、又は上記の２つの協調様式を同時に展開してよい。
【００３７】
アップリンク協調様式は、サービングセルの基地局及び協調セルの基地局がユーザ機器によって送信される信号を共同で受信して信号の共同受信を行うことを意味し、一方ダウンリンク協調様式は、サービングセルの基地局及び協調セルの基地局がユーザ機器に同じ又は異なるデータを共同で伝送し、その結果ユーザは信号組合せの利得を得ることができることを意味する。異なる協調様式はデータ伝送の性能指標の異なる要件を有し、且つデータ伝送遅延に関する対応する規定も有する。
【００３８】
したがって、遅延管理ユニット１０３は、記憶されるサイト間データ伝送遅延を予め設定される協調様式の遅延要件と比較し、各相互動作サイトのセルをデータ伝送遅延に従って部類ごとに管理して、候補協調セル集合を確立するように構成されてよい。
【００３９】
任意選択で、遅延管理ユニット１０３は、遅延記憶ユニット１０２に記憶されるデータ伝送遅延を検索し、予め設定されるセル協調様式の遅延要件に従って、候補セカンダリサイトのものであり且つ遅延要件を満たすセルを同じセル集合に分類してよく、ここでサイトのセルは優先的に協調に参加するセルとして標記され、更に、遅延要件を満たさないセルは協調に参加するよう推奨されないセルとして標記されてもよい。標記様式は限定されず、ここでフィールドが追加されてよく、又はフラグビットがセル情報データに追加されてよい。セル集合についての情報は表の形態で遅延管理ユニット１０３に記憶されてよい。
【００４０】
遅延管理ユニット１０３は、予め設定されるセル協調様式の遅延要件以外の別の性能指標の要件に従って、データ伝送遅延に従って部類ごとに管理される候補セル集合から協調セルを選択するように更に構成されてよい。別の性能指標は、セル間の隣接関係、物理的位置、及び隣接セルにおけるユーザ機器の伝送電力などの先行技術における指標を含み、それは再びここには記載されない。
【００４１】
本発明の本実施形態において提供されるセル管理装置を使用することによって、協調セルとサービングセルとの間のデータ伝送遅延が測定されて予め設定される協調セル様式のデータ伝送遅延の要件と比較され、遅延要件を満たす協調セルが識別され、次いで遅延要件を満たす協調セルは優先的にセルの協調通信に参加する。したがって、協調データ伝送機能の正常な実装を確保することができ、セルの協調通信の効果を向上させることができる。
【００４２】
任意選択で、本発明の別の実施形態において、遅延測定ユニット１０１は、候補セカンダリサイトに測定メッセージを送信し、計時サブユニット１０１２に第１の命令メッセージを送信して計時サブユニット１０１２に計時を開始するように命令するように構成され、且つ候補セカンダリサイトによって返送される測定メッセージを受信し、計時サブユニット１０１２に第２の命令メッセージを送信して計時サブユニット１０１２に計時を停止するように命令するように構成される測定メッセージ送受信機サブユニット１０１１と、
第１の命令メッセージを受信した後に計時を開始して第２の命令メッセージを受信した後に計時を停止し、遅延記憶ユニット１０２に記録によって得られるデータ伝送遅延を送信するように構成される計時サブユニット１０１２とを更に含むことができる。
【００４３】
任意選択で、本発明の別の実施形態において、測定メッセージは測定シーケンスとすることができる。遅延測定ユニット１０１は２つの機能、つまり、シーケンスソースを記憶すること、及び測定シーケンスを送受信することを含む。シーケンスソースはデータ伝送遅延を測定するために使用される測定シーケンスを含み、測定シーケンスが変更される必要があるときに自動的に更新されてよい。測定シーケンスの長さは伝送データの実際の長さに従って設計され、測定シーケンスがあまりに長い、例えば実際のサービスデータより長ければ、サイトによって受信された後にシーケンスを処理するための時間は増加して、それに応じて、返送遅延も増加し、同様に、測定シーケンスがあまりに短ければ、測定される遅延はあまりに短く、これはデータ伝送の実態を満たさない。加えて、測定シーケンスの内容は伝送データの識別及び誤り訂正を容易にするべきである。特定の実装において、シーケンスの内容及び長さは実状に従って決定されてよく、それは本発明の本実施形態において特に限定されない。例えば、以下に示す測定シーケンスが使用されてよく、測定シーケンスの長さは１０２４ｂｉｔである。
１０１０．．．．．．１０１０１０（単位：ｂｉｔ、長さ：１０２４）
【００４４】
協調セルとサービングセルとの間のデータ伝送遅延は、測定誤差を低減させるように、測定メッセージとして実データに従って確立される測定シーケンスを使用することによって正確に測定されてよい。
【００４５】
本発明の本実施形態において提供されるセル管理装置は複数のネットワーク事例に適用可能とすることができる。異なるネットワークトポロジにおいて、測定される必要があるデータ伝送遅延の内容は異なり、測定の複雑さも変化する。図３に図示する概略ネットワーク図において、サイト１、サイト２、及びサイト３の各々が３つのセルを包含し、本発明の本実施形態において提供される１つのセル管理装置が各サイトに構成され、これが別々に装置１、装置２、及び装置３であり、ここでサイト１、サイト２、及びサイト３は相互に相互動作サイトであり、各サイトはサイトから別の相互動作サイトまでのデータ伝送遅延を別々に測定してよい。図３に図示するように、サイト１はサイト１からサイト２までの遅延Ｔ１及びサイト１からサイト３までの遅延Ｔ２を別々に測定し、一方サイト２はサイト２からサイト１までの遅延Ｔ１及びサイト２からサイト３までの遅延Ｔ３を別々に測定する。サイト３は、サイト３からサイト１までの遅延Ｔ２及びサイト３からサイト２までの遅延Ｔ３を測定する必要がある。全ての相互動作サイトのデータ伝送遅延を測定して各相互動作サイトのセルの部類ごとの管理を容易にし、その結果サービングセルのサイトが協調セルを協調通信に参加するように選択するときに脱落が起こらない。
【００４６】
本発明の別の実施形態において、図４に図示するように、サイト１、サイト２、及びサイト３は切替ユニットを使用することによってデータを伝送し、本発明の本実施形態において提供されるセル管理装置がサイト１、サイト２及びサイト３各々に構成される。例えば、サイト１のセルがサービングセルとして使用され、サイト１はサイト１から切替ユニットまでの遅延Ｔ１及びサイト２から切替ユニットまでの遅延Ｔ２を測定する必要がある。サイト１とサイト２との間の遅延はＴ１＋Ｔ２であり、ここでＴ１はサイト１によって測定され、Ｔ２はサイト２によって測定され、サイト１は切替ユニットによって測定情報を通知され、サイト１は遅延を計算する。同様に、サイト１とサイト３との間の遅延はＴ１＋Ｔ３であり、サイト２とサイト３との間の遅延はＴ２＋Ｔ３である。
【００４７】
更に、本発明の別の実施形態において、相互動作サイトはデータ送受信機能を有するのみであり、中央サイトによって集中様式で管理及び制御される。中央サイトは接続される相互動作サイトを管理する機能を有する。本発明の本実施形態において提供されるセル管理装置が中央サイトに構成される。協調データ伝送機能が中央サイトによって完成されるので、中央サイトが中央サイトによって管理される相互動作サイトのものであるセルのために協調セルを決定した後に、協調セルのデータは協調処理のために中央サイトに伝送される必要があり、したがって、各相互動作サイトから中央サイトまでのデータ伝送遅延は各相互動作サイトから別の相互動作サイトまでのデータ伝送遅延と同等である。図５に図示する概略ネットワーク図において、サイト４からサイト６はデータを送受信する機能を有するにすぎず、中央サイトが通信リンクを使用することによってサイト４からサイト６に別々に接続されて、中央サイトと各サイトとの間のデータ伝送及びサイト４からサイト６間のデータ転送を実装する。中央サイトは中央サイトから各接続される相互動作サイトまでのデータ伝送遅延を測定してよく、それは図５に図示する中央サイトからサイト４までの、中央サイトからサイト５までの、及び中央サイトからサイト６までの遅延Ｔ４、Ｔ５、及びＴ６を含む。サイト４が例として使用され、ここでサイト４からサイト５までの遅延はＴ４＋Ｔ５であり、サイト４からサイト６までの遅延はＴ４＋Ｔ６である。サイト４からサイト６が切替ユニットを使用することによって接続されるにもかかわらず、中央サイトが各サイトの機能に対して責任を負い、切替ユニットがデータ転送機能を実装するので、中央サイトのセル管理サイトが各サイトから中央サイトまでの遅延を直接測定してよく、各サイトから切替ユニットまでの遅延を測定する必要がないことに留意されたい。
【００４８】
更に、セル管理装置は、図３に図示するネットワーク様式及び図５に図示するネットワーク様式を集約するハイブリッドネットワークシナリオに更に適用可能とすることができる。具体的には、図６に図示するように、装置１、装置２、及び装置３がそれぞれサイト１、サイト２及びサイト３に構成され、装置４が中央サイトに構成される。ハイブリッドネットワークシナリオにおいて、図３及び図５の実施形態に図示する２種類のデータ伝送遅延を測定することに加えて、本発明の本実施形態のセル管理装置が構成されるサイトと中央サイトとの間のデータ伝送遅延が測定される必要がある。例えば、サイト１のセルがサービングセルとして使用され、サイト１によってサイト１から中央サイトまで測定されるデータ伝送遅延はＴ７であり、したがってサイト１からサイト４までの遅延はＴ７＋Ｔ４であり、サイト１からサイト５までの遅延はＴ７＋Ｔ５であり、サイト１からサイト６までの遅延はＴ７＋Ｔ６であることを得ることができる。例えば、サイト４のセルがサービングセルとして使用され、サイト４によってサイト４から中央サイトまで測定されるデータ伝送遅延はＴ４であり、したがってサイト４からサイト１までの遅延はＴ７＋Ｔ４であり、サイト４からサイト２までの遅延はＴ４＋Ｔ８であり、サイト４からサイト３までの遅延はＴ４＋Ｔ９であることを得ることができる。相互動作サイト間の遅延を測定する様式は上述したものと同じであり、詳細は再びここには記載されない。
【００４９】
本発明の実施形態の図３から図６に提供される様々な適用シナリオは例にすぎないことに留意されたい。特定のシナリオにおいて、様々な種類のサイトの量、サイト間の相互動作関係、などはそれらに限定されない。
【００５０】
図６に図示する適用シナリオが例として使用される。データ遅延測定が完了した後に、測定により得られるデータ伝送遅延はサービングセルが位置するサイトのセル管理装置の遅延記憶ユニット１０２によって記憶される。例えば、サイト１と他の相互動作サイトとの間のデータ伝送遅延の記憶内容を表１に図示する。協調データ伝送の機能が中央サイトに集中されるサイトについて、データ伝送遅延は中央サイトのセル管理装置に記憶されてよい。例えば、サイト４と他の相互動作サイトとの間のデータ伝送遅延の記憶方法を下記表２に図示する。サイト４の協調データ伝送の機能は中央サイトに集中されるので、サイト４のデータ伝送遅延は中央サイトのセル管理装置に記憶される。
【００５１】
【表１】
0006408006.tif 000002
【００５２】
【表２】
0006408006.tif 000003
【００５３】
更に、図６に図示する適用シナリオを更に例として使用して遅延管理ユニット１０３の動作様式を記載する。
【００５４】
サイト１のセルがサービングセルであり、セルは別の協調セルからデータを受信して予め設定される協調様式におけるサイト間協調データ伝送の機能を完成させる必要があると仮定する。次いで、協調セル集合が確立されるべきであるときに、このセルと別の相互動作サイトのセルとの間のデータ伝送遅延が考慮される必要があり、その結果協調機能は正常に実装されることができる。したがって、遅延管理ユニット１０３は、異なる協調様式の遅延要件及び測定により得られる相互動作サイト間の実際のデータ伝送遅延に従ってセル集合を確立するように構成される。
【００５５】
サイト１はセルａについて３つの協調様式を事前に展開し、３つの異なる協調データ伝送機能（略して「協調機能」）が実装されてよいと仮定する。協調機能１のサービングセルと協調セルとの間の遅延の要件はＴｄ１（Ｔｄ１＝１００ｕｓと仮定する）未満であり、協調機能２の遅延の要件はＴｄ２（Ｔｄ２＝１ｍｓと仮定する）未満であり、協調機能３の遅延の要件はＴｄ３（Ｔｄ３＝４ｍｓと仮定する）未満であると仮定する。サイト１と他の相互動作サイトとの間の実際に測定されたデータ伝送遅延が表３に図示されると仮定する。
【００５６】
【表３】
0006408006.tif 000004
【００５７】
データ伝送遅延がＴｄ１未満であるセルはサイト２及びサイト６のセルを含み、データ伝送遅延がＴｄ２未満であるセルはサイト２、サイト５及びサイト６のセルを含み、データ伝送遅延がＴｄ３未満であるセルはサイト２、サイト３、サイト５、及びサイト６のセルを含むことが分かる。表４に示すように、異なるセル集合が異なる協調機能の遅延要件に従って形成されてよい。候補協調セル集合は遅延に従って確立され、それは協調セルを予め設定される協調様式に参加するように選択するための決定条件としての役目を果たす。
【００５８】
上記のＴｄ１、Ｔｄ２及びＴｄ３の値は実験若しくは経験に従って事前に選択される固定値とすることができ、又は自動的に生成されてネットワークの実際の動作に従ってサイトによって動的に変更されてよく、これは本発明の本実施形態において特に限定されない。同様に、上記の実施形態における測定結果は例証的であるにすぎず、本発明のいかなる限定も構成しないものとする。
【００５９】
【表４】
0006408006.tif 000005
【００６０】
本発明の本実施形態において提供されるセル管理装置を使用することによって、協調セルとサービングセルとの間のデータ伝送遅延が測定されて予め設定される協調セル様式のデータ伝送遅延の要件と比較され、遅延要件を満たす協調セルが識別され、次いで遅延要件を満たす協調セルは優先的にセルの協調通信に参加する。したがって、協調データ伝送機能の正常な実装を確保することができ、セルの協調通信の効果を向上させることができる。セル管理装置は複数のネットワーク事例に適用可能とすることができ、柔軟に、容易に且つ便宜的に設定することができる。
【００６１】
本発明の実施形態は、図７に図示するように、セル管理装置を更に提供する。
【００６２】
遅延記憶ユニット２０２及び遅延管理ユニット２０３の機能は図２に図示する実施形態における遅延記憶ユニット１０２及び遅延管理ユニット１０３のそれらと同じであり、それらは再びここには記載されない。
【００６３】
相互動作サイト間の上記のデータ伝送遅延に従って協調セルが協調データ伝送を行うように選択された後に、各協調セルによって伝送されるデータは同期して調節されてよく、これはサービングセルのサイトに比較的より早く伝送される協調セルのデータが各協調セルのサイトからサービングセルのサイトまでの遅延差に従って一時的に記憶され、サービングセルのサイトに比較的より遅く伝送される協調セルのデータが到着した後に、２種類のデータがサービングセルのサイトに同期して伝送されることを含む。
【００６４】
上記の機能を実装するために、セル管理装置は遅延調節ユニット２０４を更に含むことができ、それは協調セルが協調に参加するように選択され、協調機能が有効にされた後に、協調セルのデータ伝送の相対遅延を調節及び同調させるように構成される。協調セルのデータが異なる伝送路を通ってサービングセルに達するため相対遅延が存在するにもかかわらず、それはまたリアルタイムデータ処理のために有益であって、全ての協調セルのデータがサービングセルに同時に送信されて同期データ処理を実装することができることを確実にしてよい。
【００６５】
具体的には、計時サブユニット２０１２は、少なくとも２つの協調セルがある場合、各協調セルによってサービングセルにデータを送信するための相対遅延を測定するように更に構成される。本発明の本実施形態において、いわゆる遅延は時間の長さである。
【００６６】
例えば、サービングセルはＮ個の協調セルを有し、Ｎ個の協調セルはセル１〜セルＮとして別々に識別されてよく、ここでＮは整数であり且つＮは１より大きい。測定メッセージ送受信機サブユニット２０１１がセル１によって送信されるデータ（例えば、測定メッセージとすることができる）を受信すると、計時サブユニット２０１２は計時を開始し、セル１によってサービングセルにデータを送信するための相対遅延Ｔ１を得る。類推によって、セルＮによって送信されるデータが受信されると、セルＮによってサービングセルにデータを送信するための遅延ＴＮ−１が得られる。次いでＴ１、．．．、ＴＮを含むＮ個の遅延が得られてよく、Ｎ個の遅延は遅延調節ユニット２０４に送信され、ここで遅延調節ユニット２０４は協調セルのデータ伝送の相対遅延を調節及び同調させるように構成される。
【００６７】
遅延調節ユニット２０４は比較サブユニット２０４１を更に含み、それは最大相対遅延を得るように、協調セルによってサービングセルにデータを送信するための遅延を比較するように構成される。
【００６８】
キャッシュ時間計算サブユニット２０４２は、最大相対遅延に基づいて、別の協調セルによって送信されるデータのためのキャッシュ時間を計算し、キャッシュ時間についての情報をデータキャッシュサブユニット２０４３に送信するように構成され、ここで別の協調セルは最大相対遅延に対応する協調セル以外のセルを指し、キャッシュ時間は最大相対遅延に対応する協調セルに対して別の協調セルによって送信されるデータのためのキャッシュ時間である。
【００６９】
Ｎ＝３、つまり協調セルがセル１、セル２、及びセル３を含むと仮定し、ここでセル１の相対遅延Ｔ１はセル２の相対遅延Ｔ２及びセル３の相対遅延Ｔ３より大きく、Ｔ１は最大相対遅延であり、セル２のキャッシュ時間はＴ１−Ｔ２であり、セル３のキャッシュ時間はＴ１−Ｔ３である。
【００７０】
データキャッシュサブユニット２０４３は、データのキャッシュ時間についての情報に従って、別の協調セルによって送信されるデータを一時的に記憶するように構成され、且つキャッシュ時間後に各協調セルのデータを処理するように構成される。
【００７１】
本発明の本実施形態において提供されるセル管理装置を使用することによって、協調セルがデータ伝送遅延に従って選択され、協調データ伝送が始まった後に、協調セルによってデータを送信するための相対遅延は更に調節及び同調されて同期データ伝送及び処理を実装し且つセルの協調通信品質を向上させてよい。
【００７２】
本発明の別の実施形態において、図８に図示するように、セル管理装置は遅延測定ユニット２０１’及び遅延調節ユニット２０２’を含むだけでよい。つまり、本発明の本実施形態において、協調セルを選択する様式は限定されない。選択された協調セルについて、遅延調節ユニット２０２’は、協調セルによってサービングセルにデータを送信するための、遅延測定ユニット２０１’によって測定により得られる相対遅延に従って、最大相対遅延を得るように、協調セルによってサービングセルにデータを送信するための遅延を比較する。別の協調セルによって送信されるデータのためのキャッシュ時間が最大相対遅延に基づいて計算され、ここで別の協調セルは最大相対遅延に対応する協調セル以外のセルを指し、キャッシュ時間は最大相対遅延に対応する協調セルに対して別の協調セルによって送信されるデータのためのキャッシュ時間である。別の協調セルによって送信されるデータはデータのキャッシュ時間についての情報に従って一時的に記憶される。遅延測定ユニット２０１’によって、協調セルによってデータを送信するための相対遅延を測定するための様式及び遅延調節ユニット２０２’によって遅延を調節するための様式について、計時サブユニット２０１２及び遅延調節ユニット２０４に参照がなされてよい。各ユニットの内部構造及び機能は上述した他の実施形態におけるものと同じであり、それらは再びここには記載されない。図８に図示するセル管理装置を使用して協調セルによってデータを送信するための相対遅延を調節及び同調させ、協調通信における同期データ伝送及び処理を実装してよい。
【００７３】
本発明の実施形態は、図９に図示するように、セル管理装置を更に提供する。
【００７４】
セル管理装置は具体的にはプロセッサ３０１を含むことができ、それはプライマリサイトとプライマリサイトと相互動作する候補セカンダリサイトとの間のデータ伝送遅延を測定するように構成され、且つ候補セカンダリサイトのものであり且つ予め設定されるセル協調様式の遅延要件を満たす１つ以上のセルを決定し、予め設定されるセル協調様式の遅延要件を満たす１つ以上のセルから協調セルを選択するように構成される。協調セルは、予め設定されるセル協調様式に従って多地点協調データ伝送を行うように構成される。
【００７５】
メモリ３０２が、プロセッサ３０１によって測定により得られるデータ伝送遅延を記憶するように構成される。
【００７６】
具体的には、プロセッサ３０１によって測定されるものは、プライマリサイトと候補セカンダリサイトとの間のデータ相互作用の往復遅延、つまりデータが候補セカンダリサイトから伝送路を通してプライマリサイトまで送信され、次いで元の伝送路を通して協調セルに返送されるために必要とされる合計時間である。
【００７７】
メモリ３０２はプライマリサイトと別の相互動作サイトとの間のデータ伝送遅延を記憶してよく、ここでデータ伝送遅延はプロセッサによって測定される。例えば、データ伝送遅延は表の形態で記憶して抽出及び管理を容易にすることができる。
【００７８】
セル協調様式は予め設定されてよく、例えばプライマリサイトがアップリンク協調様式若しくはダウンリンク協調様式を事前に展開、又は上記の２つの協調様式を同時に展開してよい。
【００７９】
異なる協調様式はデータ伝送遅延の異なる要件を有する。プロセッサ３０１は、各相互動作サイトのセルをデータ伝送遅延に従って部類ごとに管理して候補協調セル集合を確立するように、記憶されるデータ伝送遅延を予め設定される協調様式の遅延要件と比較してよい。
【００８０】
プロセッサ３０１は、予め設定されるセル協調様式の遅延要件以外の別の性能指標の要件に従って、データ伝送遅延に従って部類ごとに管理される候補協調セル集合から協調セルを選択するように更に構成されてよい。別の性能指標は、セル間の隣接関係、物理的位置、及び隣接セルにおけるユーザ機器の伝送電力などの先行技術における指標を含み、それは再びここには記載されない。
【００８１】
本発明の別の実施形態において、セル管理装置は送受信機３０３を更に含むことができ、それはプロセッサ３０１の命令に従って、候補セカンダリサイトに測定メッセージを送信し、候補セカンダリサイトによって返送される測定メッセージを受信するように構成される。
【００８２】
プロセッサはタイマ３０１１を更に含み、それは測定メッセージが送信された後に計時を開始し、候補セカンダリサイトによって返送される測定メッセージが受信された後に計時を停止し、得られるデータ伝送遅延を記録するように構成される。データ伝送遅延はメモリ３０２に送信される。
【００８３】
任意選択で、測定メッセージは測定シーケンスとすることができ、ここで測定シーケンスはシーケンスソースに含まれ、シーケンスソースはメモリ３０２に記憶されてよい。
【００８４】
送受信機３０３は更に、候補セカンダリサイトに測定シーケンスを送信し、タイマ３０１１に第１の命令メッセージを送信するように構成され、且つ候補セカンダリサイトによって返送される測定メッセージを受信し、タイマ３０１１に第２の命令メッセージを送信するように構成される。
【００８５】
シーケンスソースはデータ伝送遅延を測定するために使用されるデータシーケンスを含み、測定シーケンスが変更される必要があるときに自動的に更新されてよい。測定シーケンスの長さは伝送データの実際の長さに従って設計され、測定シーケンスがあまりに長い、例えば実際のサービスデータより長ければ、サイトによって受信された後にシーケンスを処理するための時間は増加して、それに応じて、返送遅延も増加し、同様に、測定シーケンスがあまりに短ければ、測定される遅延はあまりに短く、これはデータ伝送の実態を満たさない。加えて、測定シーケンスの内容は伝送データの識別及び誤り訂正を容易にするべきである。特定の実装において、測定シーケンスの内容及び長さは実態に従って決定されてよく、それは本発明の本実施形態において限定されない。
【００８６】
協調セルとサービングセルとの間のデータ伝送遅延は、測定誤差を低減させるように、測定メッセージとして実データに従って確立される測定シーケンスを使用することによって正確に測定されてよい。
【００８７】
本発明の別の実施形態において、プロセッサ３０１は、プライマリサイトと候補セカンダリサイトとの間のデータ伝送遅延に従って協調セルが協調データ伝送を行うように選択された後に、協調セルのデータ伝送の相対遅延を調節及び同調させ、全ての協調セルのデータがサービングセルに同時に送信されて同期データ伝送及び処理を実装し且つセルの協調通信品質を向上させることができることを確実にするように更に構成されてよい。
【００８８】
具体的には、本実施形態において、タイマ３０１１は、少なくとも２つの協調セルがある場合、各協調セルによってサービングセルにデータを送信するための相対遅延を測定するように更に構成される。本発明の本実施形態において、いわゆる遅延は時間の長さである。
【００８９】
特定の測定方法について、本発明の他の実施形態における関連する記述に参照がなされてよく、それは再びここには記載されない。
【００９０】
プロセッサ３０１は更に、最大相対遅延を得るように、協調セルによってサービングセルにデータを送信するための遅延を比較し；最大相対遅延に基づいて、別の協調セルによって送信されるデータのためのキャッシュ時間を計算し、ここで別の協調セルは最大相対遅延に対応する協調セル以外のセルを指し、キャッシュ時間は最大相対遅延に対応する協調セルに対して別の協調セルによって送信されるデータのためのキャッシュ時間であり；データのキャッシュ時間についての情報に従って、別の協調セルによって送信されるデータを一時的に記憶するように構成され、且つキャッシュ時間後に各協調セルのデータを処理するように構成される。
【００９１】
本発明の本実施形態において提供されるセル管理装置は複数のネットワーク事例に適用可能とすることができる。異なるネットワークトポロジにおいて、測定される必要があるデータ伝送遅延の内容は異なり、測定の複雑さも変化する。工業技師は実際の要件に従ってサイトを展開してよい。セル管理装置が具体的に適用されてよいネットワーク状況は図３〜図６に図示する実施形態におけるセル管理装置のそれらと同じであり、それは再びここには記載されない。セル管理装置の機能の実装及びセル管理装置内の各構成部品の特定の動作様式について、図３〜図６に図示する実施形態におけるセル管理装置の関連する記述に参照がなされてよく、それらはここには繰り返し記載されない。
【００９２】
任意選択で、セル管理装置の上記の機能はＢＢＵに一体化されてよく、また基地局内で独立型装置に一体化されてもよく、ここで装置は基地局内でＢＢＵに接続される。装置は遅延測定、データ伝送遅延管理、及び候補協調セル集合の選択などの上記の機能を完了する。ＢＢＵは協調セルの選択を完了する。装置とベースバンド処理ユニットとの間の円滑なデータ伝送が確保され且つセル管理装置の機能の実装が影響を受けない限り、ベースバンド処理ユニットに装置を接続する様式は限定されない。
【００９３】
装置は、サービングセルのサイトのＢＢＵにデータ伝送遅延の要件を満たす候補協調セル集合についての情報を送信してよく、ＢＢＵは候補協調セル集合から協調セルを予め設定されるセル協調様式に参加するように選択する。
【００９４】
候補協調セル集合についての情報は、集合における各セルのセル識別（Ｃｅｌｌ  ＩＤ）又はサービングセルの地理座標などの、セルを識別するために使用される情報を含むことができる。
【００９５】
装置は、ＢＢＵにデータ伝送遅延の要件を満たさないセルについての情報も同時に報告してよい。ＢＢＵが協調セルを選択するとき、ＢＢＵは協調機能に参加する協調セルの遅延要件を考慮し、またセル間の隣接関係及び隣接セル内のユーザ機器の伝送電力などの複数の要因を包括的に考慮する。したがって、遅延要件を満たさないセルについての情報の同時報告は、協調セルを選択するときにＢＢＵに代替方式を提供することがある。
【００９６】
本発明の本実施形態において提供されるセル管理装置によれば、協調セルとサービングセルとの間のデータ伝送遅延が正確に測定され、測定結果が予め設定される協調様式のデータ伝送遅延の要件と比較され、遅延要件を満たす協調セルが識別され、次いで遅延要件を満たす協調セルは優先的にセルの協調通信に参加する。したがって、協調機能の正常な動作を確保することができ、セルの協調通信の効果を向上させることができる。更に、セルの協調通信が始まった後に、セル管理装置を使用して協調セルによってデータを送信するための相対遅延を調節及び同調させ、同期データ伝送及び処理を実装し且つセルの協調通信品質を向上させてよい。セル管理装置は複数のネットワーク様式に適用可能とすることができ、柔軟に、容易に且つ便宜的に設定することができる。
【００９７】
本発明の実施形態はセル管理方法を提供し、セル管理装置に関する。方法の工程を図１０に図示し、以下を含む。
【００９８】
Ｓ１０１．プライマリサイトとプライマリサイトと相互動作する候補セカンダリサイトとの間のデータ伝送遅延を測定する。
【００９９】
プライマリサイト及び候補セカンダリサイトは相互動作サイトである。
【０１００】
データ伝送遅延は、測定メッセージがプライマリサイトによって候補セカンダリサイトに送信され、次いで候補セカンダリサイトによってプライマリサイトに返送されるときに必要とされる往復遅延である。
【０１０１】
任意選択で、測定メッセージは候補セカンダリサイトに送信されてよい。測定メッセージが送信された後に計時は開始し、候補セカンダリサイトによって返送される測定メッセージが受信された後に計時は停止する。
【０１０２】
任意選択で、測定メッセージは、伝送データの実際の長さに従って設計され且つシーケンスソースに含まれる測定シーケンスとすることができる。シーケンスソースは、測定シーケンスが変更される必要があるときに自動的に更新されてよい。
【０１０３】
Ｓ１０２．測定により得られるデータ伝送遅延を記憶する。
【０１０４】
具体的には、プライマリサイトと候補セカンダリサイトとの間にあり且つ測定により得られるデータ伝送遅延は表の形態で記憶して抽出及び管理を容易にすることができる。
【０１０５】
Ｓ１０３．プライマリサイトと各候補セカンダリサイトとの間の記憶されるデータ伝送遅延を予め設定される協調様式の遅延要件と比較し、相互動作サイトをデータ伝送遅延に従って部類ごとに管理することによって、データ伝送遅延に従って、候補セカンダリサイトのものであり且つ予め設定されるセル協調様式の遅延要件を満たす１つ以上のセルを決定する。
【０１０６】
任意選択で、プライマリサイトはアップリンク協調様式若しくはダウンリンク協調様式を事前に展開、又は上記の２つの協調様式を同時に展開してよい。
【０１０７】
任意選択で、ステップＳ１０３は、プライマリサイトと候補セカンダリサイトとの間の記憶されるデータ伝送遅延を検索し、予め設定される協調様式の遅延要件に従って、サイトのものであり且つ遅延要件を満たすセルを同じ候補協調セル集合に分類し、サイトのものであり且つ遅延要件を満たすセルを優先的に協調に参加するセルとして標記し、サイトのものであるが遅延要件を満たさないセルを協調に参加するよう推奨されないセルとして標記することを含むことができる。
【０１０８】
協調機能に参加する協調セルは遅延要件を有し、加えて、セル間の隣接関係及び隣接セル内のユーザ機器の伝送電力などの複数の要因が包括的に考慮される必要がある。したがって、遅延要件を満たさないセルを同時に標記することは、協調セルを選択するための代替方式を提供することがある。
【０１０９】
データ伝送遅延の要件を満たす候補協調セル集合から協調セルを予め設定されるセル協調様式に参加するように選択する。
【０１１０】
更に、任意選択で、協調セルのデータ伝送路は異なるので、サービングセルに達するデータのための相対遅延が存在し、それはリアルタイムデータ処理にとって好ましくない。したがって、本発明の別の実施形態において、サービングセルが帰属するサイトのベースバンド処理ユニットが協調セルを協調に参加するように選択し、協調機能を開始した後に、ステップＳ１０４〜Ｓ１０６が更に含まれてよく、その結果協調セルによってデータを送信するための相対遅延が調節及び同調され、全ての協調セルのデータがサービングセルのベースバンド処理ユニットに同時に送信されて同期データ処理を実装することができることを確実にする。
【０１１１】
Ｓ１０４．少なくとも２つの協調セルがある場合、各協調セルによってサービングセルにデータを送信するための相対遅延を測定する。
【０１１２】
本発明の本実施形態において、いわゆる遅延は時間の長さである。
【０１１３】
特定の測定方法について、本発明の装置実施形態における関連する記述に参照がなされてよく、それは再びここには記載されない。
【０１１４】
Ｓ１０５．協調セルのデータ伝送の相対遅延を比較して最大相対遅延を見いだし、最大相対遅延に基づいて、別の協調セルによって送信されるデータのためのキャッシュ時間を計算し、ここで別の協調セルは最大相対遅延に対応する協調セル以外のセルを指し、キャッシュ時間は最大相対遅延に対応する協調セルに対して別の協調セルによって送信されるデータのためのキャッシュ時間である。
【０１１５】
Ｓ１０６．データのキャッシュ時間についての情報に従って、別の協調セルによって送信されるデータを一時的に記憶する。
【０１１６】
データはキャッシュ時間後に解放され、続いて処理されてよい。
【０１１７】
本発明の本実施形態において提供されるセル管理装置によれば、協調セルとサービングセルとの間のデータ伝送遅延が正確に測定され、測定結果が予め設定される協調様式のデータ伝送遅延の要件と比較され、遅延要件を満たす協調セルが識別され、次いで遅延要件を満たす協調セルは優先的にセルの協調通信に参加する。したがって、協調機能の正常な動作を確保することができ、セルの協調通信の効果を向上させることができる。更に、セルの協調通信が始まった後に、セル管理装置を使用して協調セルによってデータを送信するための相対遅延を調節及び同調させ、同期データ伝送及び処理を実装し且つセルの協調通信品質を向上させてよい。
【０１１８】
本発明の実施形態において提供され且つ図５に図示するセル管理方法は図２〜図９の実施形態において図示するセル管理装置によって実行される方法とすることができ、一方図２〜図９の実施形態において図示するセル管理装置は図１０に図示するセル管理方法を実行してよい。詳細について、図２〜図９のセル管理装置の上記の特定の実施形態の記述に参照がなされてよく、それらは再びここには記載されない。
【０１１９】
本出願に提供されるいくつかの実施形態において、開示されたシステム、装置、及び方法は本発明の範囲を逸脱することなく他の様式で実装されてよいことが理解されるべきである。例えば、記載された実施形態は例証的であるにすぎない。例えば、モジュール又はユニット区分は論理的機能区分にすぎず、実際の実装では他の区分でよい。例えば、複数のユニット又は構成部品は別のシステムに組み合わされて若しくは一体化されてよく、又はいくつかの特徴は無視されて若しくは行われなくてよい。分離部品として記載されるユニットは物理的に別々でも又はそうでなくてもよく、ユニットとして表示される部品は物理ユニットでも若しくはそうでなくてもよく、１つの位置に設置されてよく、又は複数のネットワークユニットに分散されてよい。モジュールのいくつか又は全ては、実施形態の解法の目的を達成する実際の必要性に従って選択されてよい。当業者は創造的労力なしで本発明の実施形態を理解及び実装するだろう。
【０１２０】
その上、記載されたシステム、装置、方法及び異なる実施形態の概要図は、本出願の範囲を逸脱することなく別のシステム、モジュール、技術、若しくは方法と一体化されて又はそれに関して使用されてよい。加えて、表示された又は論じられた相互結合又は直接結合又は通信接続はいくつかのインタフェースを通して実装されてよい。装置又はユニット間の間接結合又は通信接続は電子的、機械的、又は他の形態で実装されてよい。
【０１２１】
上記の記述は本発明の特定の実装方式にすぎないが、本発明の保護範囲を限定するものとは意図されない。本発明において開示される技術的範囲内で当業者によって容易に見つけ出されるいかなる変形又は置換も本発明の保護範囲内に入るものとする。したがって、本発明の保護範囲は請求項の保護範囲に従うものとする。
【図１】
0006408006.tif 000006
【図２】
0006408006.tif 000007
【図３】
0006408006.tif 000008
【図４】
0006408006.tif 000009
【図５】
0006408006.tif 000010
【図６】
0006408006.tif 000011
【図７】
0006408006.tif 000012
【図８】
0006408006.tif 000013
【図９】
0006408006.tif 000014
【図１０】
0006408006.tif 000015